(57)【特許請求の範囲】
【請求項１】
少なくとも２以上のチューナを備え、無線放送を受信する受信装置であって、
前記少なくとも２以上のチューナは、第１のチューナグループと第２のチューナグループとに分けられ、
前記第１のチューナグループは、検索対象の周波数を検索する第１の検索手段と、
各周波数での放送局受信可否を判別する受信可否判別手段と、
受信可能な周波数を受信周波数リストに記載する記載手段と、を有し、
前記第２のチューナグループは、前記受信周波数リストに存在する周波数を検索する第２の検索手段と、
その検索により取得した周波数に基づいて放送局データを受信する第１の放送局データ受信手段と、
前記第１のチューナグループは、前記第２のチューナグループによる前記放送データの受信が完了しているか否かを判別する受信完了判別手段と、
前記第２のチューナグループが検索していない周波数を取得する第１の未検索周波数取得手段と、
その検索していない周波数に基づいて放送局データを受信する第２の放送局データ受信手段と、
を有することを特徴とする受信装置。
【請求項２】
前記受信可否判別手段は、前記放送局データよりも容量の小さい伝送多重制御信号、Ｃ／Ｎ値あるいはビットエラーレート値を受信して、放送局受信の可否を判別することを特徴とする請求項１に記載の受信装置。
【請求項３】
前記第２のチューナグループは、前記第１のチューナグループが検索していない周波数を取得する第２の未検索周波数取得手段と、
その検索していない周波数に基づいて放送局データを受信する第１の放送局データ受信手段と、をさらに、有することを特徴とする請求項１または２に記載の受信装置。
【請求項４】
少なくとも２以上のチューナを備え、無線放送を受信する受信方法であって、
検索対象の周波数を検索する第１の検索ステップと、
各周波数での放送局受信可否を判別する受信可否判別ステップと、
受信可能な周波数を受信周波数リストに記載する記載ステップと、
前記第１の検索ステップ、前記受信可否判別ステップおよび前記記載ステップを実行するチューナとは別のチューナにより実行され、
前記受信周波数リストに存在する周波数を検索する第２の検索ステップと、
その検索により取得した周波数に基づいて放送局データを受信する第１の放送局データ受信ステップと、
前記別のチューナによる前記放送局データの受信が完了しているか否かを判別する受信完了判断ステップと、
前記別のチューナが検索していない周波数を取得する第１の未検索周波数取得ステップと、
その検索していない周波数に基づいて放送局データを受信する第２の放送局データ受信ステップと、
を含むことを特徴とする受信方法。
【発明の詳細な説明】
【技術分野】
【０００１】
本発明は、複数のチューナを使用して無線放送を受信する受信装置および受信方法に関する。
【背景技術】
【０００２】
近年、映像番組のデジタル放送が実用化されている。デジタル放送では、高画質化、多チャンネル化、双方向化が実現できる他に、番組情報等を取得して表示することが可能である。また、放送に使用する周波数帯域幅を少なくすることが可能なデジタル放送は、電波の有効利用ができるため、デジタル放送の普及が促進されている。
【０００３】
日本における地上デジタル放送では、放送局において、まず映像、音声、データ放送および電子番組ガイド等の信号が、全て圧縮してパケット化され、一本のＴＳ（Ｔｒａｎｓｐｏｒｔ  Ｓｔｒｅａｍ）という信号形式に多重化される。さらに、ＴＳは、デジタル変調方式のひとつである直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に基づき、ＯＦＤＭ信号に変調される。そのＯＦＤＭ信号は、搬送波である電波に載せて送信されている。視聴者は、上述のＯＦＤＭ信号が載せられた電波を、アンテナで受信する。そして、アンテナに接続されているチューナが、送信された電波に同調し、電波に載せられたＯＦＤＭ信号を受信する。そのＯＦＤＭ信号を、ＯＦＤＭ復調部が復調することにより、ＴＳを抽出できる。抽出されたＴＳは、デスクランブル部にてフィルタリングされ、各処理デバイスへ出力された後、各処理をなされて出力される。例えば、映像および音声データは、ＡＶデコード部にてデコードされ、得られた映像信号および音声信号は、映像および音声として出力される。
【０００４】
デジタル放送等を受信する受信機により、複数ある放送局の中から受信可能な放送局を検索する方法は、２種類に大別できる。１つは、現在位置において受信可能な放送局のリストをあらかじめ用意しておき、そのリストに沿って各放送局に相当する周波数の電波を検索する方法である。また、もう１つの方法としては、全ての周波数の電波について検索を行い、信号が載せられた電波を検知する方法である。
【０００５】
しかし、受信可能な放送局のリストがあらかじめ用意できない場合、あるいは現在位置の取得が難しい場合には、前者の方法は、用いることができない。また、後者の方法は、検索対象周波数の最下限値から最上限値までを検索する必要があるために、検索時間が長くなるという問題がある。
【０００６】
そこで、受信機に複数のチューナを備えることにより、受信可能な放送局を検索する場合に、それぞれのチューナが異なる周波数を検索することで、検索時間の短縮を行うという方法が提案されている。（例えば、特許文献１参照。）また、複数のチューナを備える受信機が、１つのチューナで番組を視聴し、他方のチューナで受信可能な放送局の検索を行う案もある。（例えば、特許文献２参照。）
【特許文献１】特開２００５−０４５５０８号公報（段落番号００５６、００５７）
【特許文献２】特開２００６−０７４６６５号公報（段落番号００３０、００４１、図６）
【発明の開示】
【発明が解決しようとする課題】
【０００７】
しかし、上述の方法には以下の問題がある。すなわち、それぞれのチューナが異なる周波数を検索する場合には、複数の放送局データを同時に取得した場合を考慮した高度なソフトウェア設計が必要とされるという問題である。
【０００８】
また、１つのチューナで番組を視聴し、他方のチューナで受信可能な放送局の検索を行う場合に、番組を視聴していないあるいは視聴できない状態では、依然として検索時間の短縮が図れないという問題がある。
【０００９】
そこで、本発明は、上記課題を解決すること、すなわち、高度なソフトウェア設計を必要とすることなく、受信可能な放送局の検索時間を短縮、することを目的とする。
【課題を解決するための手段】
【００１０】
かかる目的を達成するため、少なくとも２以上のチューナを備え、無線放送を受信する受信装置であって、少なくとも２以上のチューナは、第１のチューナグループと第２のチューナグループとに分けられ、第１のチューナグループは、検索対象の周波数を検索する第１の検索手段と、各周波数での放送局受信可否を判別する受信可否判別手段と、受信可能な周波数を受信周波数リストに記載する記載手段と、を有し、第２のチューナグループは、受信周波数リストに存在する周波数を検索する第２の検索手段と、その検索により取得した周波数に基づいて放送局データを受信する第１の放送局データ受信手段と第１のチューナグループは、第２のチューナグループによる放送データの受信が完了しているか否かを判別する受信完了判別手段と、第２のチューナグループが検索していない周波数を取得する第１の未検索周波数取得手段と、その検索していない周波数に基づいて放送局データを受信する第２の放送局データ受信手段とを有する受信装置としている。
【００１１】
また、別の発明では、上述の発明に加えて、受信可否判別手段は、放送局データよりも容量の小さい伝送多重制御信号、Ｃ／Ｎ値あるいはビットエラーレート値を受信して、放送局受信の可否を判別する受信装置としている。
【００１３】
また、別の発明では、上述の発明に加えて、第２のチューナグループは、第１のチューナグループが検索していない周波数を取得する第２の未検索周波数取得手段と、その検索していない周波数に基づいて放送局データを受信する第１の放送局データ受信手段と、をさらに、有する受信装置としている。
【００１４】
また、別の発明では、上述の発明に加えて、少なくとも２以上のチューナを備え、無線放送を受信する受信方法であって、検索対象の周波数を検索する第１の検索ステップと、各周波数での放送局受信可否を判別する受信可否判別ステップと、受信可能な周波数を受信周波数リストに記載する記載ステップと、第１の検索ステップ、受信可否判別ステップおよび記載ステップを実行するチューナとは別のチューナにより実行され、受信周波数リストに存在する周波数を検索する第２の検索ステップと、その検索により取得した周波数に基づいて放送局データを受信する第１の放送局データ受信ステップと、別のチューナによる放送局データの受信が完了しているか否かを判別する受信完了判断ステップと、別のチューナが検索していない周波数を取得する第１の未検索周波数取得ステップと、その検索していない周波数に基づいて放送局データを受信する第２の放送局データ受信ステップとを含む受信方法とするようにしている。
【発明の効果】
【００１６】
本発明によれば、高度なソフトウェア設計を必要とすることなく、受信可能な放送局の検索時間を短縮することができる。
【発明を実施するための最良の形態】
【００１７】
以下、本発明の第１の実施の形態について、図１に基づいて説明する。図１は、本発明の実施の形態に係る受信装置としてのデジタル放送受信装置１の構成例を示すブロック図である。
【００１８】
デジタル放送受信装置１は、電波を受信するための外部アンテナ２を有する。その外部アンテナ２は、２つのチューナ、すなわち、第１のチューナグループの一構成部である第１のチューナ１０および第２のチューナグループの一構成部である第２のチューナ２０に接続されている。第１のチューナ１０は、第１のＯＦＤＭ復調部１１に接続され、第２のチューナ２０は、第２のＯＦＤＭ復調部２１に接続されている。第１のＯＦＤＭ復調部１１および第２のＯＦＤＭ復調部２１は、合成／選択部３に接続されている。
【００１９】
合成／選択部３は、ＤＥＭＵＸ（ＤｅＭｕｌｔｉｐｌｅｘｅｒ）部４に接続される。また、ＤＥＭＵＸ部４は、ＡＶ（Ａｕｄｉｏ  Ｖｉｓｕａｌ）デコーダ部５に接続される。ＡＶデコーダ部５は、Ｄ／Ａ（Ｄｉｇｕｔａｌ  ｔｏ  Ａｎａｌｏｇ）部３０およびＯＳＤ（Ｏｎ  Ｓｃｒｅｅｎ  Ｄｉｓｐｌａｙ）部４０に接続される。Ｄ／Ａ部３０は、音声出力部３１に接続され、ＯＳＤ部４０は、映像出力部４１に接続される。また、第１のチューナ１０および第２のチューナ２０、第１のＯＦＤＭ復調部１１および第２のＯＦＤＭ復調部２１、合成／選択部３、ＤＥＭＵＸ部４、ＡＶデコーダ部５、Ｄ／Ａ部３０およびＯＳＤ部４０は、ＣＰＵ（Ｃｅｎｔｒａｌ  Ｐｒｏｃｅｓｓｉｎｇ  Ｕｎｉｔ）６に接続されて、制御されている。ＲＯＭ（Ｒｅａｄ  Ｏｎｌｙ  Ｍｅｍｏｒｙ）７およびＲＡＭ（Ｒａｎｄｏｍ  Ａｃｃｅｓｓ  Ｍｅｍｏｒｙ）８は、バスによりＣＰＵ６と接続されている。
【００２０】
外部アンテナ２は、電波を増幅するためのブースタ（不図示）と一緒に用いられる。また、外部アンテナ２により受信された電波は、分配器（不図示）を介して、第１のチューナ１０および第２のチューナ２０に、それぞれ分配される。第１のチューナ１０および第２のチューナ２０は、外部アンテナ２にて受信された電波から、チャンネルに対応する周波数の電波に同期することにより、任意の周波数の電波を選択してその周波数の電波に載せられた信号を受信する。
【００２１】
第１のＯＦＤＭ復調部１１および第２のＯＦＤＭ復調部２１は、受信した電波に載せられたＯＦＤＭ信号を復調する。具体的には、ＯＦＤＭ信号を復調してＴＳを抽出する。また、得られたＴＳが有するリードソロモン符号等を用いて、ＴＳの誤り訂正を行う。
【００２２】
合成／選択部３は、第１のＯＦＤＭ復調部１１と第２のＯＦＤＭ復調部２１との両方あるいはどちらか一方から送られてくるＴＳを合成、あるいはそれぞれのＴＳを分離する。
【００２３】
ＤＥＭＵＸ部４は、ＰＩＤ（Ｐａｃｋｅｔ  ＩＤ）に基づいて、ＴＳを目的別の各パケットに分離する。例えば、ＡＶストリームとＴＳの配列情報とが、分離される。さらに、各パケットを、フィルタリングし、各目的を達成するために各デバイスへ振り分ける。例えば、ＴＳから抽出されたＡＶストリームは、ＡＶデコーダ部５に出力され、ＴＳの配列情報あるいは番組情報等は、ＣＰＵ６へ出力される。
【００２４】
ＡＶデコーダ部５は、ＤＥＭＵＸ部４から入力されたＡＶストリームを復号し、映像データおよび音声データとして出力する。例えば、映像データ若しくは音声データに関しては、ＭＰＥＧ２規格により圧縮処理が施されている信号を、ＭＰＥＧ２規格に従って伸張する。ＡＶデコーダ部５は、音声データをＤ／Ａ部３０へ出力し、映像データをＯＳＤ部４０に出力する。
【００２５】
Ｄ／Ａ部３０は、音声データを、再生可能な音声信号に変換する。Ｄ／Ａ部３０に接続される音声出力部３１は、アナログ信号を増幅するためのアンプ、および出力部のスピーカ等から構成され、音声を出力する。ＯＳＤ部４０は、機器の設定等の設定画面を画面に表示するために作動する。ＯＳＤ部４０で作製された設定画面は、映像に重ねられて、映像出力部４１にて映像として出力される。
【００２６】
ＣＰＵ６は、信号処理部である。具体的には、第１のチューナ１０および第２のチューナ２０、第１のＯＦＤＭ復調部１１および第２のＯＦＤＭ復調部２１、合成／選択部３、ＤＥＭＵＸ部４、ＡＶデコーダ部５、Ｄ／Ａ部３０およびＯＳＤ部４０等からの指示あるいは各種データが、ＣＰＵ６に入力される。すると、ＣＰＵ６は、ＲＯＭ７およびＲＡＭ８にそれぞれ記憶されている所定の制御プログラムおよびデータを読み出して、各種の演算および処理を実行する。さらに、ＣＰＵ６は、その処理されたデータを各部に出力することにより、各デバイスの制御を行う。ＣＰＵ６は、第１のチューナグループおよび第２のチューナグループの一構成部である。
【００２７】
ＲＯＭ７は、ＣＰＵ６が各部を制御するための制御プログラムおよび各定数を記憶する読み出し専用のメモリである。ＲＡＭ８は、ＣＰＵ６からの制御指令に基づいて、各種デバイスとの通信情報あるいはストリーム情報を一時的に記憶するための揮発性の記憶領域である。また、ＲＡＭ８は、ＣＰＵ６のワークメモリとして使用される。また、後述の受信可能周波数リスト（以後、周波数リストという。）および受信可能放送局リスト（以後、放送局リストという。）も、ＲＡＭ８に記憶される。
【００２８】
第１のチューナグループを構成する第１のチューナ１０およびＣＰＵ６は、検索対象の周波数を検索する第１の検索手段と、各周波数での放送局受信可否を判別する受信可能判別手段と、受信可能な周波数を受信周波数リストに記載する記載手段とを兼ねている。また、第２のチューナグループを構成する第２のチューナ２０およびＣＰＵ６は、受信周波数リストに存在する周波数を検索する第２の検索手段と、その検索により取得した周波数に基づいて放送局データを受信する第２の放送局データ受信手段とを兼ねている。上記受信可否判別手段としての第１のチューナ１０およびＣＰＵ６は、好適には、放送局データよりも容量が小さくて受信しやすい伝送多重制御信号、Ｃ／Ｎ値あるいはビットエラーレート値を受信し、放送受信の可否を判別する。
【００２９】
次に、第１の実施の形態の動作について説明する。図２は、デジタル放送受信装置１にて番組を受信する際のチャンネルの検索の処理を示すフローチャートである。
【００３０】
まず、デジタル放送受信装置１をＯＮにした場合あるいは、視聴場所が大きく変わった場合などには、チャンネル検索を行う必要がある。視聴者がチャンネル検索命令をデジタル放送受信装置１に対して行う、あるいはＣＰＵ６がチャンネル検索の必要を検知した際には、ＣＰＵ６は、受信可能な放送局の検索を指示する。受信可能な放送局の検索を行う場合には、まず、ＣＰＵ６は、検索対象の周波数を最下限値から順番に検索するために、第１のチューナ１０が検索する周波数として、最下限の周波数を指定する（ステップＳ１０１）。
【００３１】
検索周波数が指定されると、第１のチューナ１０は、その検索周波数に同調し、同期を待つ（ステップＳ１０２：第１の検索ステップ）。第１のチューナ１０が検索周波数に同調すると、検索周波数の搬送波に載せられたＯＦＤＭ信号を受信する。
【００３２】
第１のチューナ１０により受信されたＯＦＤＭ信号は、第１のＯＦＤＭ復調部１１により復調される。さらに、第１のＯＦＤＭ復調部１１は、ＴＳのチェックビットとしてデータの後に付加されているリードソロモン符号等を用いてＴＳの誤り訂正を行う。したがって、第１のＯＤＦＭ復調部１１を介して、誤り訂正を施されたＴＳがＤＥＭＵＸ部４に出力される。
【００３３】
ＤＥＭＵＸ部４は、ＰＩＤ（Ｐａｃｋｅｔ  ＩＤ）に基づいて抽出されたＴＳを、目的別の各パケットに分離する。各パケットのうち、比較的早い段階で読み取られる情報に、伝送多重制御信号（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ：ＴＭＣＣ）がある。ＴＭＣＣとは、多重化されたＴＳをどのように送っているかを示す制御情報であり、ＡＶストリーム等他のパケット情報を読み出す前に読み取られる情報である。
【００３４】
ＣＰＵ６は、ＴＭＣＣを受信可能かどうかを判別する（ステップＳ１０３：受信可否判別ステップ）。その結果、ＴＭＣＣを受信できた場合には（ステップＳ１０３においてＮＯ）、ＣＰＵ６は、受信している周波数をＲＡＭ７に記憶される周波数リストに追加し（ステップＳ１０４：記載ステップ）、ステップＳ１０５に進む。一方、ＴＭＣＣを受信できなかった場合には（ステップＳ１０３においてＹＥＳ）、ステップＳ１０５に進む。
【００３５】
次に、ＣＰＵ６は、現在検索中の周波数が、検索周波数の最上限値未満であるかを判定する（ステップＳ１０５）。現在検索中の周波数が検索周波数の最上限値であった場合には、肯定的（ＹＥＳ）な判定を行い、第１のチューナ１０による放送局検索を終了する。
【００３６】
一方、ステップＳ１０５において、現在検索中の周波数が検索周波数の最上限値でない場合には、否定的（ＮＯ）な判定をする。すると、ＣＰＵ６は、現在第１のチューナ１０が現在検索中の周波数の１つ上の周波数を検索周波数として第１のチューナ１０に指定する（ステップＳ１０６）。すると、ステップＳ１０２に戻り、ステップＳ１０２以降の各ステップを繰り返す。
【００３７】
次に、第２のチューナグループを構成する第２のチューナ２０およびＣＰＵ６の処理について説明する。
【００３８】
ＣＰＵ６は、ＲＡＭ７にアクセスして、周波数リストに未検索の周波数が存在するかどうか、すなわち、新しい周波数が追加されたかどうか判別する（ステップＳ２０１：第２の検索ステップ）。周波数リストに、未検索の周波数が存在していない場合には（ステップＳ２０１において、ＮＯ）ＣＰＵ６は、第１のチューナ１０の動作が完了したか否かを判定する（ステップＳ２０２）。第１のチューナ１０の動作が完了している場合には（ステップＳ２０２において、ＹＥＳ）、放送局検索を終了する。
【００３９】
また、第１のチューナ１０の動作が継続している場合には（ステップＳ２０２においてＮＯ）、ステップＳ２０１に戻る。ステップＳ２０１において、未検索の周波数が存在する場合には（ステップＳ２０１において、ＹＥＳ）、ＣＰＵ６は、その未検索の周波数を第２のチューナ２０にセットする（ステップＳ２０３）。
【００４０】
第２のチューナ２０は、指示された周波数に同期して、ＯＦＤＭ信号を受信する。そのＯＦＤＭ信号は、第２のＯＦＤＭ復調部２１において復号され、誤り訂正がされて、ＴＳが抽出される。
【００４１】
抽出されたＴＳは、合成／選択部３を介してＤＥＭＵＸ部４において、ＰＩＤに基づいて、目的別の各パケットに分離される。ＣＰＵ６は、各パケットのうち、まず、放送局データとしての番組特定情報（Ｐｒｏｇｒａｍ  Ｓｐｅｃｉｆｉｃ  Ｉｎｆｏｒｍａｔｉｏｎ：ＰＳＩ）を検索し、放送局データを受信する（ステップＳ２０４：第１の放送局データ受信ステップ）。ＰＳＩは、ストリームに含まれているプログラムと、そのプログラムを構成している映像や音声ストリームなどのプログラムの要素との関係を表すテーブル情報を含む。また、ＰＳＩは、ＰＡＴ  （Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）等のテーブルを含む。ＰＡＴには、プログラム番号に対応したＰＭＴのＰＩＤ等が記述されている。ＰＭＴには、対応するプログラムに含まれる映像、音声、付加データ、および時刻情報であるＰＣＲ（Ｐｒｏｇｒａｍ  Ｃｌｏｃｋ  Ｒｅｆｅｒｅｎｃｅ）のＰＩＤが記述されている。したがって、ＰＡＴとＰＭＴを参照することによりストリームの中から目的のプログラムを構成するＴＳパケットだけを取り出すことができる。
【００４２】
また、ステップＳ２０４において、ＤＥＭＵＸ部４は、ＰＳＩだけではなく、番組配列情報（Ｓｅｒｖｉｃｅ  Ｉｎｆｏｒｍａｔｉｏｎ：ＳＩ）も読み取る。ＣＰＵ６は、放送局データを取得できたかどうかを判別する（ステップＳ２０５）。放送局データとしてのＰＳＩおよびＳＩを取得できた場合には（ステップＳ２０５においてＹＥＳ）、ＣＰＵ６は、その放送局データを、ＲＡＭ７内の放送局リストに追加する（ステップＳ２０６）ＳＩは、ＳＤＴ（編成チャンネル情報）あるいはＥＩＴ（番組名あるいは番組の内容等）を含む情報であり、番組表を作成するために用いられる。
【００４３】
一方、放送局データを取得できなかった場合には（ステップＳ２０５でＮＯ）、ＣＰＵ６は、データ受信がタイムアップとなったかどうか判別する（ステップＳ２０７）。その結果、タイムアップになっていない場合（ステップＳ２０７においてＮＯ）、ステップＳ２０４に戻る。一方、タイムアップになっている場合（ステップＳ２０７においてＹＥＳ）、ステップＳ２０８に進む。次に、ＣＰＵ６は、周波数リストに、次の未検索の周波数が存在しているかどうかを判定する（ステップＳ２０８）。
【００４４】
ステップＳ２０８において、周波数リストに未検索の周波数が存在している場合には（ステップＳ２０８においてＹＥＳ）、ＣＰＵ６は、未検索の周波数の中で最下限の周波数を選択し、ステップＳ２０４へ戻る。一方、ステップＳ２０８において、周波数リストに未検索の周波数が存在しない場合には（ステップＳ２０８においてＮＯ）、Ｓ２０１に戻る。
【００４５】
ＤＥＭＵＸ部４より受け取ったＰＳＩ若しくはＳＩ情報より、ＣＰＵ６は、放送局リストを作成する。以上の手順で作成された受信放送局リストの情報は、ＣＰＵ６がＯＳＤ部４０に指示し、ＯＳＤ部４０を介してＯＳＤ表示として映像出力部４１にて表示される。ユーザは、その表示された受信放送局リストに基づき、視聴したいチャンネルを選択することができる。
【００４６】
上述のように、第１のチューナ１０は、比較的早い段階で取得可能なＴＭＣＣ情報の受信可否をＣＰＵ６に通知するとすぐに、次の周波数を検索できる。したがって、最下限の周波数から最上限の周波数までをより短時間で検索することが可能である。また、その作成された周波数リストに基づき、第２のチューナ２０が、受信放送局リストを作成する。このため、デジタル放送に必要なチャンネル情報の取得を高速に行うことができる。
【００４７】
また、第１のチューナ１０において処理および出力する情報と第２のチューナ２０において処理および出力する情報とは、別の情報であり、それぞれが個別に作動するために、ソフトウェア設計を簡略化できる。
【００４８】
次に、本発明の第２の実施の形態について説明する。図４は、第２の実施の形態に係るデジタル放送受信装置１が、放送局データを取得する際、第１のチューナ１０の処理手順を示すフローチャートである。図５は、第２の実施の形態に係るデジタル放送受信装置１が、放送局データを取得する際、第２のチューナ２０の処理手順を示すフローチャートである。なお、各図において、第１の実施の形態と同一要素には、同一符号を付して重複する説明を省略する。
【００４９】
第２の実施の形態において、第１のチューナ１０およびＣＰＵ６は、第２のチューナグループによる放送局データの受信が完了しているか否かを判別する受信完了判別手段と、第２のチューナグループが検索していない周波数を取得する第１の未検索周波数取得手段と、その検索していない周波数に基づいて放送局データを受信する第２の放送局データ受信手段とを兼ねている。また、第２のチューナ２０およびＣＰＵ６は、第１のチューナグループが検索していない周波数を取得する第２の未検索周波数取得手段と、その検索していない周波数に基づいて放送局データを取得する第１の放送局データ受信手段とを兼ねている。
【００５０】
第２の実施の形態では、第１のチューナ１０は、ＴＭＣＣ情報を取得することにより、周波数リストに周波数を追加するだけではなく、検索周波数の最下限値から最上限値までを検索した後に、第２のチューナ２０と併行して放送局データを取得するために作動する。
【００５１】
したがって、第１のチューナ１０が検索対象の周波数の最上限値まで検索するまでの手順（ステップＳ３０１〜Ｓ３０６）は、第１の実施の形態におけるステップＳ１０１〜ステップＳ１０６までの手順と同様である。ステップＳ３０６において、現在検索中の周波数が、検索周波数の最上限値である場合には、まず、第２のチューナ２０の動作が未完了であるか判定する（ステップＳ３０７：受信完了判別ステップ）。第２のチューナ２０の動作が既に完了している場合には（ステップＳ３０７においてＮＯ）、放送局の検索が終了する。一方、第２のチューナ２０の動作がまだ完了していない場合（ステップＳ３０７においてＹＥＳ）、周波数リストに、放送局データを取得するための検索を行っていない、周波数の存在有無を確認する（ステップＳ３０８）。その結果、未検索の周波数が存在しない場合には（ステップＳ３０８においてＮＯ）、放送局の検索が終了する。一方、未検索の周波数が存在する場合には（ステップＳ３０８においてＹＥＳ）、ＣＰＵ６は、その未検索の周波数のうち最下限の周波数をセットする（ステップＳ３０９：第１の未検索周波数取得ステップ）。第１のチューナ１０は、検索する周波数に同調し、放送局データを受信する（ステップＳ３１０：第２の放送局データ受信ステップ）。ＣＰＵ６は、放送局データを取得できたか否かを判別する（ステップＳ３１１）。その結果、第１のチューナ１０が放送局データを取得できた場合には（ステップＳ３１１においてＹＥＳ）、ＣＰＵ６は、その放送局データをＲＡＭ８内の放送局リストに追加する（ステップＳ３１２）。そして、再度、ステップＳ３０７に戻り、第２のチューナ２０の動作が完了しているか確認する。一方、放送局データを取得できていない場合には（ステップＳ３１１においてＮＯ）、ＣＰＵ６は、データ受信がタイムアップしたかどうかを判別する（ステップＳ３１３）。その結果、タイムアップしていない場合には（ステップＳ３１３においてＮＯ）、ステップＳ３１０に戻る。一方、タイムアップしている場合には（ステップＳ３１３においてＹＥＳ）、ステップＳ３０７に戻る。
【００５２】
第２の実施の形態において、第２のチューナ２０は、周波数リストにある周波数から放送局データを受信し、周波数リストにある次の周波数をセットする手順（ステップＳ４０１〜Ｓ４０９）までは、第１の実施の形態における第２のチューナ２０の動作の手順（ステップＳ２０１〜Ｓ２０９）と同様である。周波数リストにある次の周波数をセット（ステップＳ４０９）した後に、ＣＰＵ６は、そのセットした周波数は、第１のチューナ１０が既に検索中あるいは検索後の周波数であるか否かを判定する（ステップＳ４１０：第２の未検索周波数取得ステップ）。第１のチューナ１０が検索中あるいは検索後の周波数ではない場合には（ステップＳ４１０においてＹＥＳ）、ステップＳ４０４に戻り、放送局データの受信を開始する。一方、セットした周波数は、第１のチューナ１０が既に検索中あるいは検索後の周波数である場合（ステップＳ４０７においてＮＯ）、Ｓ４０８に戻り、周波数リストに他の未検索の周波数が存在するか否かを判定する。
【００５３】
このように、第１のチューナ１０が、比較的早く取得できるＴＭＣＣ情報から周波数リストを作成し、最下限周波数から最上限周波数までの検索を終了すると、第２のチューナ２０が行う放送局データの取得作業と併行して放送局データの取得を行うようにすることにより、より早く放送局リストを作成することができる。
【００５４】
以上、本発明の各実施の形態について述べたが、本発明は、これらの実施の形態に限定されることなく、種々変形して実施することが可能である。
【００５５】
例えば、チューナを２個のみ備えているデジタル放送受信装置１に限らず、２個以上備えるデジタル放送受信装置１としてもよい。その場合には、本実施の形態において、第１のチューナ１０を含めた複数のチューナを第１のチューナグループとすることができる。同様に、第２のチューナ２０の動作を行う複数のチューナを、第２のチューナグループとすることができる。チューナの数が多いほど、情報処理を分担できるため、情報処理の速度をより向上できる。
【００５６】
また、本実施の形態におけるデジタル放送受信装置１において、放送局リストを作成する際に、誤りデータを活用してもよい。例えば、所定時間（例えば、１秒間）における誤りデータの個数の平均値を算出してエラーレートを求め、そのエラーレートをＣＰＵ６に出力してもよい。そのエラーレートに応じて受信状態データをチャンネル表に出力することができる。
【００５７】
また、本実施の形態において、ＴＭＣＣの存在の有無により、周波数リストを作成しているが、ＴＭＣＣではない他の情報であって、比較的早い段階で読み込まれる情報の有無により判断しても良い。例えば、ＰＳＩ、ＳＩあるいは、ＰＳＩに含まれるＮＩＴ（周波数情報）等により判断されても良い。さらに、エラーレート値あるいはＣ／Ｎ値（位相雑音測定値）のような受信レベルに関するデータを用いて周波数リストを作成してもよい。
【００５８】
また、本実施の形態に係るデジタル放送受信装置１が有するアンテナは、外部アンテナに限られず、内蔵アンテナでも良い。また、本実施の形態に係るデジタル放送受信装置１では、図１のように１つの外部アンテナ２が電波を受信し、各チューナ１０、２０に分配する方式を採用しているが、各チューナ１０、２０にアンテナが備えられているような、いわゆる、ダイバシティ方式を採用しても良い。ダイバシティ方式では、電波が安定しているアンテナを優先して用いることができる。
【００５９】
また、本実施の形態において、デジタル放送はＯＦＤＭ方式にて変調されているが、他の変調方法を採用した場合に、その方式に合わせた復調部を用いてもよい。例えば、８ＶＳＢ（Ｖｅｓｔｉｇｉａｌ  Ｓｉｄｅｂａｎｄ  Ｍｏｄｕｌａｔｉｏｎ）等が挙げられる。他の変調方法を採用した場合には、その規格において、比較的早い段階で読み込まれる情報の有無により、周波数リストを作成することが好ましい。
【００６０】
また、本実施の形態において、データの圧縮方式は、ＭＰＥＧ２を採用しているが、他の圧縮規格を用いてもよい。また、地上デジタル放送に限らず、ワンセグ放送、あるいは地上デジタル音声放送等にも採用できる。
【００６１】
また、本実施の形態において、デジタル放送受信装置１をＯＮにした場合あるいは、視聴場所が大きく変わった場合に、チャンネルの検索を行うことになっているが、このタイミングに限らず、いつチャンネル検索を行ってもよい。例えば、一定時間毎にチャンネル検索を行うことにより、常に最新の番組情報を取得することができる。また、番組を視聴している最中には、番組の受信用のチューナと、チャンネル検索用のチューナに分けても良い。
【００６２】
また、本実施の形態において、第１のチューナ１０は、最下限の周波数から最上限の周波数を検索しているが、最上限の周波数から検索しても良いし、特定の周波数から開始してもよい。また、２以上の複数のチューナを有するデジタル放送受信装置１の場合には、各チューナが検索する周波数帯域を定めても良い。
【００６３】
また、本実施の形態において、デジタル放送受信装置１は、ＲＡＭ８に周波数リストあるいは放送局リストを記憶するものとしているが、別の記憶媒体に記憶しても良い。その記憶媒体としては、ＨＤＤ等の不揮発性記憶媒体を一例として挙げることができる。不揮発性記憶媒体を用いた場合には、まず、前回の放送局検索で作成した周波数リストを用いて放送局データを取得し、その後すべての周波数を検索することもできる。
【００６４】
また、本実施の形態において、番組表等のＯＳＤ表示は、放送局リストが追加される毎に追加しているが、放送局リストが完全に作成されてから表示してもよい。
【図面の簡単な説明】
【００６５】
【図１】本発明の実施の形態に係る受信装置の構成の一例を示すブロック図である。
【図２】第１の実施の形態において、受信装置の第１のチューナがチャンネルを検索する際の処理を表すフローチャートである。
【図３】第１の実施の形態において、受信装置の第２のチューナがチャンネルを検索する際の処理を表すフローチャートである。
【図４】第２の実施の形態において、受信装置の第１のチューナがチャンネルを検索する際の処理を表すフローチャートである。
【図５】第２の実施の形態において、受信装置の第２のチューナがチャンネルを検索する際の処理を表すフローチャートである。
【符号の説明】
【００６６】
１…デジタル放送受信装置（受信装置）、２…外部アンテナ、３…合成／選択部、４…ＤＥＭＵＸ部、５…ＡＶデコーダ部、６…ＣＰＵ（第１の検索手段、受信可否判別手段、記載手段、第２の検索手段、第２の放送局データ受信手段、受信完了判別手段、第１の未検索周波数取得手段、第２の未検索周波数取得手段、第１の放送局データ受信手段）、７…ＲＯＭ、８…ＲＡＭ、１０…第１のチューナ（第１の検索手段、受信可否判別手段、記載手段、受信完了判別手段、第１の未検索周波数取得手段、第２の放送局データ受信手段）、１１…第１のＯＦＤＭ復調部、２０…第２のチューナ（第２の検索手段、第２の未検索周波数取得手段、第１の放送局データ受信手段）、２１…第２のＯＦＤＭ復調部、３０…Ｄ／Ａ部、３１…音声出力部、４０…ＯＳＤ部、４１…映像出力部
【図１】
0004952447.tif 000002
【図２】
0004952447.tif 000003
【図３】
0004952447.tif 000004
【図４】
0004952447.tif 000005
【図５】
0004952447.tif 000006